(57)【要約】【課題】  災害時に建物内の入場者を円滑に避難誘導することができる災害時避難誘導システムを提供する。【解決手段】  乗客７等が携帯する携帯端末８、５から発せられたＩＤコードを、かご内基地局１１及び建物内基地局２１を介して受信すると、携帯端末８、５の位置をかご内位置管理手段１２及び建物内位置管理手段２２で検出してかご内位置データ記憶部１３及び建物内位置データ記憶部２３に記録しておく。また、避難誘導データを災害案内データ記憶部１４に記録しておく。災害が発生するとかご内位置データ記憶部１３及び建物内位置データ記憶部２３から携帯端末５、８の位置とＩＤコードを読み取ると共に、災害案内データ記憶部１４から災害発生信号に対応した避難誘導データを読み取って携帯端末５、８に送信するようにしたものである。【選択図】        図１
2005173717.tif 000002
【特許請求の範囲】
【請求項１】
エレベータの乗客が携帯してＩＤコードを発する携帯端末と、
各かごに取り付けられて上記携帯端末と信号の授受を行うかご内基地局と、
このかご内基地局を介して受信した上記ＩＤコードと上記かごの昇降に伴って変化するかご位置から上記携帯端末の位置を検出するかご内位置管理手段と、
このかご内位置管理手段によって検出された上記携帯端末の上記位置と上記ＩＤコードとが上記位置の変化に対応して更新記録されたかご内位置データ記憶部と、
災害発生を知らせるメッセージと避難誘導図が記録された災害案内データ記憶部と、
この災害案内データ記憶部から災害に対応した上記メッセージと上記携帯端末の上記位置に対応した上記避難誘導図を読み取る災害案内データ管理手段と、
災害発生信号を受信すると上記かご内位置データ記憶部から上記携帯端末の上記位置と上記ＩＤコードを読み取ると共に、上記災害案内データ記憶部から上記災害発生信号に対応した上記メッセージと上記携帯端末の上記位置に対応した上記避難誘導図を読み取って上記かご内基地局を介して上記携帯端末に送信するシステム制御手段とを備えた災害時避難誘導システム。
【請求項２】
建物内の入場者が携帯してＩＤコードを発する携帯端末と、
上記建物内の各要所に取り付けられて上記携帯端末と信号の授受を行う建物内基地局と、
上記ＩＤコードと上記ＩＤコードを受信した上記建物内基地局から上記携帯端末の位置を検出する建物内位置管理手段と、
この建物内位置管理手段によって検出された上記携帯端末の上記位置と上記ＩＤコードとが上記位置の変化に対応して更新記録された建物内位置データ記憶部と、
災害発生を知らせるメッセージと避難誘導図が記録された災害案内データ記憶部と、
この災害案内データ記憶部から災害に対応した上記メッセージと上記携帯端末の上記位置に対応した上記避難誘導図を読み取る災害案内データ管理手段と、
災害発生信号を受信すると上記建物内位置データ記憶部から上記携帯端末の上記位置と上記ＩＤコードを読み取ると共に、上記災害案内データ記憶部から上記災害発生信号に対応した上記メッセージと上記携帯端末の上記位置に対応した上記避難誘導図を読み取って上記建物内基地局を介して上記携帯端末に送信するシステム制御手段とを備えた災害時避難誘導システム。
【発明の詳細な説明】
【技術分野】
【０００１】
この発明は、建物内で災害が発生した場合に、建物内にいる人を円滑に避難させるようにした避難誘導システムに係るものである。
【背景技術】
【０００２】
従来の建物内の希望行先へ誘導するための誘導システムとして、エレベータを利用して建物利用者を希望行先へ誘導するためのエレベータ誘導システムがある。建物入口に設置されたカードリーダにカード端末を指し込んで希望行先を入力して登録する。希望行先の登録されたカード端末を携帯して建物内を移動する。エレベータ乗場に到着すると専用音で知らされる。エレベータに乗り込んで希望階に到着すると専用音で知らされる。希望階で通路検出器に誘導されて移動し、希望行先に到着すると専用音で知らされるようにしたものがある（例えば、特許文献１参照）。
従来の災害時避難誘導システムとして、上記誘導システムを利用したものが考えられる。即ち、カードリーダを建物内の随所に設置し、建物の避難口を希望行先として入力してカード端末に登録した後、通路検出器に誘導されて避難するものである。
【０００３】
【特許文献１】特開２００１−１０６４４４号公報（段落番号２４〜２８、図２）
【発明の開示】
【発明が解決しようとする課題】
【０００４】
従来の災害時避難誘導システムとして考えられるものは、先ず、利用者は建物に設置されたカードリーダ等の装置を操作してカード端末、即ち、携帯端末に希望行先を登録する等の処置が必要である。
このため、カードリーダが設置された場所まで行かなければならず、災害時の避難動線が長くなり、かつ、複雑になる、という問題があった。
また、災害時避難は、多人数が一度に行動するためカードリーダが混雑して長時間待たされ、円滑な避難誘導をすることができない、という問題もあった。
【０００５】
この発明は、上記問題点を解決するためになされたものであり、災害時に建物内の入場者を円滑に避難誘導することができるシステムを提供することを目的とする。
【課題を解決するための手段】
【０００６】
この発明に係る請求項１に記載の災害時避難誘導システムは、エレベータのかご内の乗客を避難誘導するものであって、乗客が携帯する携帯端末から発せられたＩＤコードを、かご内基地局を介して受信すると、携帯端末の位置をかご内位置管理手段で検出して記録したかご内位置データ記憶部と、災害発生を知らせるメッセージと避難誘導図を記録した災害案内データ記憶部と、この災害案内データ記憶部から災害に対応したメッセージと避難誘導図を読み取る災害案内データ管理手段とを備え、災害発生信号を受信するとかご内位置データ記憶部から携帯端末の位置とＩＤコードを読み取ると共に、災害案内データ記憶部から災害発生信号に対応したメッセージと避難誘導図を読み取って携帯端末に送信するようにしたものである。
【０００７】
この発明に係る請求項２に記載の災害時避難誘導システムは、建物の入場者を避難誘導するものであって、建物内の入場者が携帯端末から発せられたＩＤコードを、建物内の各要所に取り付けられた建物内基地局を介して受信すると、携帯端末の位置を建物内位置管理手段で検出して記録した建物内位置データ記憶部と、災害発生を知らせるメッセージと避難誘導図が記録された災害案内データ記憶部と、この災害案内データ記憶部から災害に対応したメッセージと避難誘導図を読み取る災害案内データ管理手段とを備え、災害発生信号を受信すると建物内位置データ記憶部から携帯端末の位置とＩＤコードを読み取ると共に、災害案内データ記憶部から災害発生信号に対応したメッセージと避難誘導図を読み取って携帯端末に送信するようにしたものである。
【発明の効果】
【０００８】
この発明は上記のとおり構成されているので、以下の効果を奏する。
この発明に係る請求項１に記載の災害時避難誘導システムによれば、エレベータの乗客が携帯する携帯端末から発せられたＩＤコードを、かご内位置データ記憶部に記録しておいて、災害が発生すると上記携帯端末へメッセージと避難誘導図を送信するようにしたので、各乗客は各自の携帯端末を作動させて送信された避難誘導に従って避難すればよい。
このため、乗客が多人数であっても、個別的に避難誘導することができ、避難路の混雑度を避けた円滑な避難誘導が可能となる、という効果を奏する。
この発明に係る請求項２に記載の災害時避難誘導システムも同様であって、建物の入場者が携帯する携帯端末から発せられたＩＤコードを、建物内位置データ記憶部に記録しておいて、災害が発生すると上記携帯端末へメッセージと避難誘導図を送信するようにしたので、各入場者は各自の携帯端末を作動させて送信された避難誘導に従って避難すればよい。
このため、多数の入場者を個別的に避難誘導することができ、避難路の混雑度を避けた円滑な避難誘導が可能となる、という効果を奏する。
【発明を実施するための最良の形態】
【０００９】
以下、図面を参照して、この発明の実施の形態について説明する。なお、各図中、同一又は相当する部分には同一符号を付し、説明の重複を省いた。
実施の形態１．
図１から図５は、この発明の実施の形態１を示す。
図１は、災害時避難誘導システムの全体構成を示すブロック図である。図において、建物１の各要所、ここでは通路２の交叉路には建物内基地局２１−２及び２１−３（以下、総称する場合は、「建物内基地局２１」とする。）が取り付けられていて、入場者４が携帯する携帯電話からなる携帯端末５とＩＤコードを含む信号の授受を行うようになっている。ＩＤコードとこのＩＤコードを受信した建物内基地局２１から携帯端末５の位置が建物内位置管理手段２２によって検出され、位置の変化に対応して建物内位置データ記憶部２３に更新記録される。
【００１０】
また、エレベータのかご６には、かご内基地局１１が取り付けられていて、乗客７が携帯する携帯端末８とＩＤコードを含む信号の授受を行うようになっている。かご６の昇降は、かご位置検出器９によって検出されて、かご内基地局１１を介して受信したＩＤコードとかご位置から携帯端末８の位置がかご内位置管理手段１２によって検出され、位置の変化に対応してかご内位置データ記憶部１３に更新記録される。
更に、災害案内データ記憶部１４には、災害発生を知らせるメッセージと避難誘導図が記録されており、災害に対応したメッセージと携帯端末８の位置に対応した避難誘導図が、災害案内データ管理手段１５によって読み取られる。音声画像表示制御手段２６は、災害案内データ管理手段１５によって読み取られた災害に対応したメッセージを、音声と共にかご６内の表示装置２７に表示する。
かご内位置管理手段１２、災害案内データ管理手段１５、建物内位置管理手段２２及び音声画像表示制御手段２６は、システム制御手段２５によって統括制御されている。
【００１１】
従って、火災が発生して建物１に設置された防災センタ２４から発せられた災害発生信号をシステム制御手段２５が受信すると、かご内位置管理手段１２を作動させてかご内位置データ記憶部１３から携帯端末８の位置とＩＤコードを読み取ると共に、災害案内データ管理手段１５を作動させて災害案内データ記憶部１４から災害発生信号に対応したメッセージと携帯端末８の位置に対応した避難誘導図を読み取ってかご内基地局１１を介して携帯端末８に送信する。また、災害案内データ管理手段１５によって読み取られたメッセージを、音声画像表示制御手段２６を介して音声と共にかご６内の表示装置２７に表示する。
同様に、建物内位置管理手段２２を作動させて建物内位置データ記憶部２３から携帯端末５の位置とＩＤコードを読み取ると共に、災害案内データ管理手段１５を作動させて災害案内データ記憶部１４から災害発生信号に対応したメッセージと携帯端末５の位置に対応した避難誘導図を読み取って建物内基地局２１を介して携帯端末５に送信する。
【００１２】
図２は、火災発生に伴って形成された避難路を示す建物１の横断面図である。図において、建物１には、エレベータは２台並設されており、ａ号機のかご７ａには、かご内基地局１１ａが取り付けられていて乗客７ａが携帯端末８ａを携行している。ｂ号機のかご７ｂには、かご内基地局１１ｂが取り付けられていて乗客７ｂが携帯端末８ｂを携行している。エレベータホールには、建物内基地局２１−１が設置され、各交叉路３には、建物内基地局２１−２、２１−６が設置されている。また、各階段部分には、建物内基地局２１−４、２１−５、２１−７及び２１−８が設置されている。
火災３０が図示の部屋で発生したとする。この火災は、防災センタ２４へ通報されて発生場所と共にシステム制御手段２５へ送信される。
なお、火災３０の発生した場所に近い通路である建物内基地局２１−６から建物内基地局２１−８へ至る通路は、被災を避けるために避難路には指定されない。
【００１３】
携帯端末８ａには、図３に示したとおり、避難メッセージと避難路が表示され、交信中のかご内基地局１１ａは塗潰しで表示されて現在位置を乗客７ａに知らせるようになっている。乗客７ａは、携帯端末８ａの表示に従って建物内基地局２１−２の交叉路を右折し、建物内基地局２１−４の階段を下って避難する。乗客７ｂも同様であって、携帯端末８ｂの表示に従って建物内基地局２１−６の交叉路を右折し、建物内基地局２１−７の階段を下って避難する。通路２を歩行している入場者４の携帯端末５には、図４に示したとおり、避難メッセージと避難路が表示され、塗り潰された建物内基地局２１−１付近を歩行中であり、建物内基地局２１−２の交叉路を左折し、建物内基地局２１−５の階段を下って避難するように表示される。入場者４は、上記表示に従って避難する。
なお、避難路の形成は、災害の種別により、また、災害の発生場所により、更に、携帯端末５、８毎に形成されるものである。その形成の仕方は、例えば、災害を避けた通路を避難路とし、各避難路の交通量が均等になるように避難路を分けて携帯端末５、８に送信する。
【００１４】
図３は、ａ号機の乗客７ａの携帯端末８ａに表示されたメッセージと避難路からなる避難情報の概念図である。乗客７ａの現在位置は塗り潰された位置である。乗客７ａが避難路を進行するに従って現在位置は各基地局２１を伝って更新されて表示される。ｂ号機の乗客７ｂについても同様である。
図４は、通路２を歩行する入場者４の携帯端末５に表示されたメッセージと避難路からなる避難情報の概念図である。入場者４が避難路を進行するに従って、同様に現在位置は各基地局２１を伝って更新されて表示される。
【００１５】
図５は、避難誘導動作を示す流れ図である。
手順Ｓ１１で、携帯端末５、８からは、それぞれＩＤコードが発信されており、このＩＤコードが最寄り基地局２１に受信される。受信されたＩＤコードと基地局１１、２１から携帯端末５、８の位置がかご内位置管理手段１２又は建物内位置管理手段２２によって現在位置が検出され、現在位置の変化に対応してかご内位置データ記憶部１３又は建物内位置データ記憶部２３に更新記録される。手順Ｓ１２で、災害、例えば、火災が発生して建物１に設置された防災センタ２４から発せられた災害発生信号をシステム制御手段２５が受信したとする。
システム制御手段２５は、かご６内の表示装置２７の表示動作と、かご６内の携帯端末８への避難誘導データの表示動作と、通路２を歩行している入場者４への避難誘導データの表示を行う。かご６の乗客７及び建物１内の入場者４は、上記表示に基いて避難する。以下、それぞれの動作について説明する。
【００１６】
１．かご６内の表示装置２７の表示動作
手順Ｓ１２から手順Ｓ１３へ移り、災害案内データ管理手段１５によって災害案内データ記憶部１４から読み取られた避難誘導データを音声画像表示制御手段２６から送信する。手順Ｓ１４で、送信された避難誘導データを音声と共にかご６内の表示装置２７に表示する。
２．かご６内の携帯端末８への避難誘導データの表示動作
かご６内の携帯端末８の場合は、手順Ｓ１２から手順Ｓ１５へ移り、災害に対応したメッセージと携帯端末８の位置に対応した避難誘導図からなる避難誘導データが、災害案内データ記憶部１４から災害案内データ管理手段１５によって読み取られ、かご内基地局１１を介して携帯端末８に送信される。手順Ｓ１６で、上記避難誘導データが、図３に例示したとおり、携帯端末８に表示される。手順Ｓ１７で、携帯端末８はかご６内にあるか否か、即ち、かご内基地局と信号の授受を行っているか否か調べる。かご６内の場合は手順Ｓ１６へ戻り、図３に例示した表示を継続する。かご６外の場合は、手順Ｓ１８で、携帯端末８のＩＤデータを最寄の建物内基地局２１で受信し、ＩＤコードと受信した建物内基地局２１から携帯端末５の位置が建物内位置管理手段２２によって検出され、建物内位置データ記憶部２３に更新記録される。
以下、下記３項の通路２の入場者４と同様に建物内基地局２１によって捕捉されて避難誘導される。
３．通路２を歩行している入場者４への避難誘導データの表示動作
かご６外の携帯端末５の場合は、手順Ｓ１２から手順Ｓ１９へ移り、災害に対応したメッセージと携帯端末５、８の位置に対応した避難誘導図からなる避難誘導データが、災害案内データ記憶部１４から災害案内データ管理手段１５によって読み取られ、建物内基地局２１を介して送信される。手順Ｓ２０で、上記避難誘導データが、図４に例示したとおり、携帯端末５、８に表示される。
【００１７】
エレベータの乗客７を避難誘導する場合、上記実施の形態１によれば、エレベータの乗客７が携帯する携帯端末８から発せられたＩＤコードと位置を、かご内位置データ記憶部１３に記録しておいて、災害が発生すると上記携帯端末８へ避難誘導データを送信するようにしたので、各乗客７は、先ず表示装置２７によって災害発生を知得して各自の携帯端末８を作動させ、送信された避難誘導データに従って避難すればよい。
このため、乗客７が避難誘導データを得るために、例えば、カードリーダの設置場所に行く等の行動は不要となるので、円滑な避難誘導が可能となる。
また、多人数であっても、個別的に避難誘導データを送信することができるので、避難路の混雑度を軽減させて円滑な避難誘導が可能となる。
【００１８】
通路２を歩行している入場者４を避難誘導する場合、上記実施の形態１によれば、建物１の入場者４が携帯する携帯端末５から発せられたＩＤコードを、建物内位置データ記憶部２３に記録しておいて、災害が発生すると上記携帯端末５へメッセージと避難誘導図を送信するようにしたので、各入場者４は各自の携帯端末５を作動させて送信した避難誘導に従って避難すればよい。
このため、このものにあっても同様に、入場者４は避難誘導データを容易に得ることができるので、円滑な避難誘導が可能となる。
また、多人数であっても、個別的に避難誘導データを送信することができるので、避難路の混雑度を軽減させて円滑な避難誘導が可能となる。
【図面の簡単な説明】
【００１９】
【図１】この発明の実施の形態１における災害時避難誘導システムの全体構成を示すブロック図。
【図２】この発明の実施の形態１における災害時避難誘導システムによって形成された避難路を示す建物１の横断面図。
【図３】ａ号機の乗客７ａの携帯端末８ａに表示された、メッセージと避難路からなる避難情報の概念図。
【図４】通路２を歩行する入場者４の携帯端末５に表示されたメッセージと避難路からなる避難情報の概念図。
【図５】この発明の実施の形態１における災害時避難誘導システムの避難誘導動作を示す流れ図。
【符号の説明】
【００２０】
１  建物、  ２  通路、  ３  交叉路、  ４  入場者、  ５  携帯端末、  ６  かご、  ７  乗客、  ８  携帯端末、  ９  かご位置検出器、  １１  かご内基地局、  １２  かご内位置管理手段、  １３  かご内位置データ記憶部、  １４  災害案内データ記憶部、  １５  災害案内データ管理部、  ２１  建物内基地局、  ２２  建物内位置管理手段、  ２３  建物内位置データ記憶部、  ２４  防災センタ、  ２５  システム制御手段、  ３０  火災発生場所。
【図１】
2005173717.tif 000003
【図２】
2005173717.tif 000004
【図３】
2005173717.tif 000005
【図４】
2005173717.tif 000006
【図５】
2005173717.tif 000007